(57)【特許請求の範囲】
【請求項１】
ボルト挿通孔と、該ボルト挿通孔より側端に通じる切欠溝が形成された台座部と、該台座部の一方の端部より下方に延びた脚部と、該脚部の下端より前記台座部の下方側に延びた挟持片とを有した挟持部材を一対備え、前記台座部は、前記切欠溝どうしの相互差し込みにて交差状に重合しボルト、ナットで固定することで、折板屋根の頂部より突出した突出部を前記挟持片どうしで挟持して、該突出部に固定されるようになっている屋根上物品取付具の取付方法であって、
ボルト挿通孔を有した基板部と、該基板部の両端から垂下した一対の垂下片とを有した締付カバーをさらに備えており、
前記一対の挟持部材を、それぞれの台座部どうしの前記ボルト挿通孔を重合させた状態で、前記ボルトを下方より突出するように挿通させて、その突出した先端に落下防止用のボルト止めを装着させ、その状態で前記締付カバーの前記一対の垂下片のそれぞれを、前記一対の挟持部材の前記脚部のそれぞれの外側に密着させるようにして、前記挟持部材の上方より被せることで、前記脚部を締め付け前記挟持片を前記突出部に押し付けるようにして、前記一対の挟持部材を前記折板屋根の突出部に仮止めし、前記締付カバーの前記ボルト挿通孔より突出した前記ボルトに前記ナットを螺着して固定することを特徴とする屋根上物品取付具の取付方法。
【発明の詳細な説明】
【技術分野】
【０００１】
本発明は、折板屋根の頂部より突出した突出部を挟持片どうしで挟持して、その突出部に固定されるようにした屋根上物品取付具の取付方法に関する。
【背景技術】
【０００２】
この種の屋根上物品取付具として、たとえば特許文献１に示したような、一対の挟持部材を組み合わせてなるものがある。このものは、台座部どうしを重合しボルト、ナットで固定することで、挟持片どうしが折板屋根の突出部を両側より挟持する構成となっている。
【先行技術文献】
【特許文献】
【０００３】
【特許文献１】特開２０１１−４７１４４号公報
【発明の概要】
【発明が解決しようとする課題】
【０００４】
しかしながら、上記の取付具は挟持部材の台座部のみを重合、固定する構造であるため、台座部どうしをぐらつきなく固定しなければ挟持部材間でずれが生じ、そのため挟持片による挟持がゆるむおそれがある。また、平板な台座部をたんに上下に重ねてボルト、ナットで固定する構造では、たとえ強固に固定したとしても、上下の台座部間で滑りによるずれが発生するおそれがある。
【０００５】
そのため従来では、特許文献１に示すように、台座部を交差状に重合する構造や、上下で凹凸嵌合する構造の取付具が使用されていたが、このような取付具であっても、台座部どうしのみをボルト、ナットで固定する構造であることに変わりはなく、台座部から離間した位置にある挟持片でのゆるみやずれを確実に防止できるようにはなっていない。
【０００６】
本発明は、このような事情を考慮して提案されたもので、その目的は、挟持部材間（特に挟持片間）のゆるみやずれの発生を防止できる、新規な構造の屋根上物品取付具の取付方法を提供することにある。
【課題を解決するための手段】
【０００７】
上記目的を達成するために、請求項１に記載の屋根上物品取付具の取付方法は、ボルト挿通孔と、ボルト挿通孔より側端に通じる切欠溝が形成された台座部と、台座部の一方の端部より下方に延びた脚部と、脚部の下端より台座部の下方側に延びた挟持片とを有した挟持部材を一対備え、台座部は、切欠溝どうしの相互差し込みにて交差状に重合しボルト、ナットで固定することで、折板屋根の頂部より突出した突出部を挟持片どうしで挟持して、突出部に固定されるようになっている屋根上物品取付具の取付方法であって、ボルト挿通孔を有した基板部と、基板部の両端から垂下した垂下片とを有した締付カバーをさらに備えており、一対の挟持部材を、それぞれの台座部どうしの前記ボルト挿通孔を重合させた状態で、ボルトを下方より突出するように挿通させて、その突出した先端に落下防止用のボルト止めを装着させ、その状態で前記締付カバーの一対の垂下片のそれぞれを、一対の挟持部材の脚部のそれぞれの外側に密着させるようにして、挟持部材の上方より被せることで、脚部を締め付け挟持片を突出部に押し付けるようにして、一対の挟持部材を折板屋根の突出部に仮止めし、締付カバーのボルト挿通孔より突出したボルトにナットを螺着して固定することを特徴とする。
【０００８】
（削除）
【０００９】
（削除）
【発明の効果】
【００１０】
請求項１に記載の屋根上物品取付具の取付方法によれば、上述の手順となっているため、屋根上物品取付具は折板屋根の頂部の突出部に取り付けた状態において、挟持部材間、特に挟持片間のゆるみやずれの発生を防止することができる。
【００１１】
また、請求項１に記載の屋根上物品取付具の取付方法によれば、台座部を交差状に重合するタイプの屋根上物品取付具において、挟持部材間、特に挟持片間のゆるみやずれの発生を防止することができる。
【００１２】
（削除）
【図面の簡単な説明】
【００１３】
【図１】本発明方法の一実施形態に係る屋根上物品取付具の分解斜視図である。
【図２】屋根上物品取付具の屋根への取り付け手順（１／３）を示す正面図である。
【図３】屋根上物品取付具の屋根への取り付け手順（２／３）を示す正面図である。
【図４】屋根上物品取付具の屋根への取り付け手順（３／３）（取り付けられた状態）を示す正面図である。
【図５】本発明方法の他の実施形態に係る屋根上物品取付具の分解斜視図である。
【図６】屋根上物品取付具の屋根への取り付け状態を示す正面図である。
【図７】本発明のさらに他の実施形態（参考例）に係る屋根上物品取付具の説明図である。（ａ）は挟持部材の分解斜視図、（ｂ）は屋根上物品取付具の屋根への取り付け状態を示す正面図である。
【発明を実施するための形態】
【００１４】
以下に、本発明の実施の形態について、添付図面をもとに説明する。まず、全実施形態に共通する基本構成について説明する。
【００１５】
屋根上物品取付具１は、ボルト挿通孔１１ａを有した台座部１１と、台座部１１の一方の端部より下方に延びた脚部１３と、脚部１３の下端より台座部１１の下方側に延びた挟持片１４とを有した挟持部材１０を一対備え、台座部１１、１１どうしを重合しボルト３１、ナット３２で固定することで、折板屋根４０の頂部４２より突出した突出部４５、４７を挟持片１４どうしで挟持して、突出部４５、４７に固定されるようになっている屋根上物品取付具である。
【００１６】
また、この屋根上物品取付具１は、ボルト挿通孔２１ａを有した基板部２１と、基板部２１の両端から垂下した垂下片２２、２２とを有した締付カバー２０をさらに備えている。この締付カバー２０は、垂下片２２、２２が挟持部材１０、１０の脚部１３、１３の外側に密着するように、締付カバー２０が重合状態にある挟持部材１０、１０の上方より被せられ、重合した台座部１１、１１とその上に配した基板部２１とがボルト３１、ナット３２で固定されるようになっている。
【００１７】
ついで、各実施形態について説明する。まず、図１〜図４に示した実施形態に係る屋根上物品取付具について説明する。
【００１８】
この屋根上物品取付具１は、図２〜図４に示したように、折板屋根４０の上に取り付けられる。
【００１９】
この折板屋根４０は、山部４１と谷部４３とが交互に連続する屋根であって、複数の屋根材を山部４１の頂部４２においてハゼ連結してなる屋根である。なお、４９は折板屋根４０の形状を下方より保持する保持部材である。
【００２０】
屋根上物品取付具１は、折板屋根４０の頂部４２の上方に突出したハゼ部４５よりなる突出部に取り付け固定されるようになっている。
【００２１】
屋根上物品取付具１は、上述したように、主たる構成部材として一対の挟持部材１０、１０と、締付カバー２０とを備え、これらがボルト３１、ナット３２で固定されるようになっている。
【００２２】
本実施形態のものは、一対の挟持部材１０、１０が同一形状とされ、挟持部材１０のそれぞれは、平面視で方形状の台座部１１と、その一方の端部（１辺縁部）より下方に延びた脚部１３と、脚部１３の下端より台座部１１とほぼ平行に、台座部１１の下方側に延びた挟持片１４とを備えている。
【００２３】
台座部１１は、脚部１３を設けた辺縁部の対辺となる辺縁部に、下方に折曲された折曲片１２を備えている。台座部１１の脚部１３側の辺縁部と折曲片１２側の辺縁部とのほぼ中央には、それら辺縁に平行であり傾斜面を有した段差部１１ｃが形成されており、折曲片１２側の平板部１１ｅが脚部側の平板部１１ｄよりも低い位置に配されている。
【００２４】
段差部１１ｃのほぼ中央には両平板部１１ｄ、１１ｅに跨るようにボルト挿通孔１１ａが開設されており、そのボルト挿通孔１１ａから段差部１１ｃに沿って、脚部１３側の辺縁部に隣接する側端（辺縁部）のうちの一方の側端の外方に連通する切欠溝１１ｂが形成されている。
【００２５】
ボルト挿通孔１１ａの脚部１３側の平板部１１ｄ側の縁部は、ボルト３１の軸部形状に合致するように丸く形成されているが、ボルト挿通孔１１ａの折曲片１２側の平板部１１ｅ側の縁部は角形状となっている。
【００２６】
脚部１３はやや外側に開くように下方に延びている（図１参照）。また、挟持片１４は台座部１１の下方において、台座部１１の中ほどの下方位置まで延び、その先端には上方に突出した押圧部１４ａが形成されている（図１参照）。
【００２７】
このような構造の挟持部材１０を２つ組み合わせることで挟持具Ａが構成される。なお、図例に示した一対の挟持部材１０、１０は同一形状であるが、それには限定されない。
【００２８】
挟持具Ａは、一対の挟着部材１０、１０を、挟持片１４、１４が開閉自在となるように支点連結することで形成される。具体的には、台座部１１、１１の切欠溝１１ｂ、１１ｂどうしを相互に差し込み、台座部１１、１１を交差状に重合することで、挟持具Ａを形成する。このように２つの挟持部材１０、１０を組み合わせ連結しただけの状態では、正面視で切欠溝１１ｂ、１１ｂの部位が支点となって、ハサミのごとく開閉動作をさせることができる（図２〜図４参照）。
【００２９】
この状態では両挟持部材１０、１０の台座部１１、１１の折曲片１２、１２側の平板部１１ｅ、１１ｅはいずれもが下側に配され、２つのボルト挿通孔１１ａ、１１ａにより形成されたボルト貫通孔の下面側の開口は、両ボルト挿通孔１１ａ、１１ａの縁部の角形状により、ボルト３１の根角部３１ａが嵌まり込むような四角形状に形成される。
【００３０】
屋根上物品取付具１は、このように形成した挟持具Ａを、挟持片１４、１４が閉じた状態で固定するための締付カバー２０を付加してなる。締付カバー２０は、上述したように、ボルト挿通孔２１ａを有した基板部２１と、基板部２１の両端から垂下した垂下片２２、２２とを有してなる。
【００３１】
挟持具Ａと締付カバー２０とは、ボルト３１、ナット３２の螺着により、両台座部１１、１１と基板部２１とが重合、固定され、全体が固定状態に連結される。なお、連結のためのその他の部材として、ボルト止め３３、平ワッシャー３４、ばねワッシャー３５が用いられる。ボルト止め３３は、後述するように、折板屋根４０への取り付けを効率的に行うために用いることが望ましいが、平ワッシャー３４、ばねワッシャー３５については選択的に利用すればよい。また、ボルト３１としては、図例に示したような根角ボルトを用いることが望ましい。
【００３２】
挟持具Ａと締付カバー２０とは、このように連結、固定された状態で、折板屋根４０のハゼ部４５に固定される。以下、この手順について、図２〜図４にもとづいて説明する。
【００３３】
まず、図２に示すように、一対の挟持部材１０、１０を連結して挟持具Ａを形成し、両ボルト挿通孔１１ａ、１１ａによりできたボルト貫通孔に下方からボルト３１を通し、ボルト止め３３を上方に突出したボルト３１の軸部３１ｂに通し、ボルト３１が落下せず、かつ挟持具Ａが開閉自在となる状態にしておく。
【００３４】
そして、図２に示すように、上方に突出したボルト３１の軸部３１ｂを締付カバー２０のボルト挿通孔２１ａ（図１参照）に通して締付カバー２０を取り付け、平ワッシャー３４、ばねワッシャー３５を取り付け、ナット３２を螺合し仮止めしておく。
【００３５】
つぎに、図３に示すように、締付カバー２０を被せた状態の挟持具Ａを、挟持片１４、１４間が開いた状態で、折板屋根４０の頂部４２の上に、両挟持片１４、１４でハゼ部４５を両側より挟み込むように載せ置く。このとき、ボルト３１を上方に引っ張り、根角部３１ａをボルト貫通孔の角形状の開口に嵌め込んでおき、ボルト止め３３でボルト３１がそれ以上、下方に落ちないようにしておくことが望ましい。
【００３６】
こうしてボルト３１をしっかりと上方に持ち上げるとともに締付カバー２０を下方に押圧することで、挟持具Ａは仮止め状態となる。つまり、支点連結された両挟持部材１０、１０の両台座部１１、１１が平行に近づくように重合していき、それと同時に両脚部１３、１３が閉じるとともに挟持片１４、１４間が狭まっていき、その結果、各挟持片１４、１４はハゼ部４５の起立基部４５ａの外面に徐々に押し付けられていく。
【００３７】
締付カバー２０を下方に十分に押圧すると、挟持具Ａの上端部が締付カバー２０の垂下片２２、２２間の空間に嵌まり込み、それと同時に両脚部１３、１３がさらに締め付けられ、各挟持片１４、１４の押圧部１４ａ、１４ａの横方向の外面がハゼ部４５の起立基部４５ａの外面にさらに押し付けられる。
【００３８】
そして、ナット３２をボルト３１にしっかりと螺着することで、重合した両台座部１１、１１と、その上の締付カバー２０の基板部２１とが上下方向にしっかりと締め付けられ、それと同時に、両挟持片１４、１４はその先端がハゼ部４５の起立基部４５ａを両側より押圧した状態に固定される（図４参照）。なお、ボルト３１、ナット３２の螺合、螺着は、ボルト３１の頭部が台座部１１の下方にあるため、ナット３２の締め付け操作によってなされるが、ボルト３１がボルト貫通孔の裏面側の開口により回り止めされ、しかもボルト止め３３によりボルト３１の落下が防止された状態にあるので、効率よく締め付け操作をすることができる。
【００３９】
こうして、屋根上物品取付具１は折板屋根４０のハゼ部４５に取り付け固定される。そして、締付カバー２０の上方に突出したボルト３１の軸部３１ｂには、太陽光パネル取り付け用のレール（不図示）や、種々の屋根上物品（不図示）が取り付け可能となる。
【００４０】
以上のように、本屋根上物品取付具１は締付カバー２０の垂下片２２、２２で挟持部材１０、１０の脚部１３、１３を外側から締め付ける構成、つまり脚部１３、１３が開く方向に回動することを食い止める構成となっているため、脚部１３、１３が開くことが阻止され、挟持部材１０、１０間、特に挟持片１４、１４間のゆるみやずれの発生を防止することができる。
【００４１】
また、この屋根上物品取付具１は挟持部材１０、１０の台座部１１、１１をハサミのごとく交差状に連結する構成であり、その交差状態で開閉自在とする必要があるため、切欠溝１１ｂ、１１ｂはあそびを有した寸法に形成することが望ましい。そのようなあそびがあれば、挟持部材１０、１０のみをボルト３１、ナット３２で締め付け、固定しても挟持部材１０、１０間でずれ、ゆるみが発生するおそれがあるが、本屋根上物品取付具１は締付カバー２０で締め付ける構成となっているため、ずれ、ゆるみは発生しにくく、このような交差重合するタイプのものには特に効果的である。
【００４２】
ついで、折板屋根４０の頂部４２より突出したボルト体４７に取り付ける屋根上物品取付具１について、図５および図６をもとに説明する。
【００４３】
この折板屋根４０は、隣接する両屋根材を山部４１で重ね、ボルト体４７で連結固定した重ね式の連設構造となっている。山部４１の頂部４２にはボルト体４７の軸部４７ａが突出し、そのボルト体４７が座金付きナット４８で固定してある。
【００４４】
屋根上物品取付具１は、このようなボルト体４７の軸部４７ａで構成された突出部に対応した構造となっている。具体的には、挟持部材１０の挟持片１４の形状が図１のものとは異なる形状となっている。なお、挟持部材１０の挟持片１４以外の部位および締付カバー２０については図１のものと同形状、同構造であるため、それらの形状、構造については説明を割愛する。また、この屋根上物品取付具１の取り付け手順についても図１のものと概ね同様であるため、折板屋根４０に取り付けられた状態のみを図示し、取り付け手順の図示および説明は割愛する。
【００４５】
挟持部材１０の挟持片１４は、先端に向けてやや上方に傾斜している。これは、挟持片１４、１４が座金付きナット４８との接触を回避し、確実にボルト体４７の軸部４７ａを挟持できるようにするためである。
【００４６】
挟持片１４の先端の中央には、ボルト体４７の軸部４７ａを係止するための係止凹部１４ｂが形成されている。係止凹部１４ｂの底部には、やや上方に切り起こされた係止爪１４ｃが形成されている。挟持具Ａは、挟持部材１０、１０の締め付けによって、両挟持片１４、１４の両係止凹部１４ｂ、１４ｂがボルト体４７の軸部４７ａを挟持するとともに、係止爪１４ｃ、１４ｃが軸部４７ａのねじ溝に係止することで、ボルト体４７に固定されるようになっている。なお、ボルト体４７の軸部４７ａに対する固定構造は、係止凹部１４ｂによるものには限られず、種々の構造を採用することができる。
【００４７】
ついで、さらに他の実施形態（参考例）に係る屋根上物品取付具について、図７（ａ）（ｂ）をもとに説明する。
【００４８】
この屋根上物品取付具１は、図１のものと同様に折板屋根４０のハゼ部４５に取り付けられるものである。この折板屋根４０については図１に示したものと同様であるため、説明を割愛する。
【００４９】
この屋根上物品取付具１は、一対の挟持部材１０、１０を含んでなるが、その形状は図１のものとは異なる。また、両挟持部材１０、１０は相互においても形状が異なる。
【００５０】
挟持部材１０はいずれも、ボルト挿通孔１１ａを有した台座部１１と、その端部より下方に延びた脚部１３と、その下端より台座部１１の下方に台座部１１とほぼ平行に延びた挟持片１４とを備えている。この挟持片１４については、図１に示した挟持部材１０の挟持片１４と概ね同形状である。
【００５１】
いずれの挟持部材１０、１０の台座部１１、１１と脚部１３、１３には、台座部１１、１１の開放側の端部から脚部１３、１３の下端におよぶ外面側に膨らんだ凸リブ１６、１６が形成されている。凸リブ１６の裏面側は凹部となっており、両挟持部材１０、１０の台座部１１、１１を上下に重ねることで、一方の凸リブ１６が他方の凸リブ１６の裏側に嵌合するようになっている。なお、両挟持部材１０、１０の形状が相互に異なるものを例示したが、同一形状であってもよい。
【００５２】
このように、本屋根上物品取付具１の挟持具Ａは、台座部１１、１１の一方の全体が上に、他方の全体が下に配せられて重合する構造となっている。そして、図１のものと同様に、図７（ｂ）に示すように、締付カバー２０を取り付け、３部材をボルト３１、ナット３２で締め付けて、ハゼ部４５に取り付けられるようになっている。
【００５３】
この屋根上物品取付具１についても、挟持部材１０、１０だけではずれやゆるみが発生しやすいが、締付カバー２０を付加してしっかりと固定できるようになっているため、ずれ、ゆるみのない状態で屋根上に固定することができる。
【００５４】
また、本実施形態の屋根上物品取付具１は、一方の挟持部材１０の凸リブ１６と、他方の挟持部材１０の凸リブ１６の裏面の凹部との嵌合によりずれの発生を低減できる構成となっているが、そのような嵌合構造がない、平板状の台座部１１、１１同士を重合するだけの構造を有した挟持部材を用いてもよい。そのような挟持部材であっても、締付カバー２０を用いる構成であるため、ずれは発生しにくい。
【００５５】
また、このような上下重合型の挟持具Ａを、図５、図６のようなボルト体４７への固定構造に設計変形することで、重ね式連設構造の折板屋根４０に対応した屋根上物品取付具を構成することもできる。
【符号の説明】
【００５６】
１          屋根上物品取付具
Ａ          挟持具
１０        挟持部材
１１        台座部
１１ａ      ボルト挿通孔
１１ｂ      切欠溝
１３        脚部
１４        挟持片
１６        凸リブ
２０        締付カバー
２１        基板部
２１ａ      ボルト挿通孔
２２        垂下片
３１        ボルト
３１ａ      根角部
３１ｂ      軸部
３２        ナット
４０        折板屋根
４３        谷部
４５        ハゼ部（突出部）
【要約】
【課題】挟持部材間（特に挟持片間）のゆるみやずれの発生を防止できる、新規な構造の屋根上物品取付具を提供する。
【解決手段】屋根上物品取付具１は、ボルト挿通孔２１ａを有した基板部２１と、基板部２１の両端から垂下した垂下片２２、２２とを有した締付カバー２０をさらに備えており、垂下片２２、２２が挟持部材１０、１０の脚部１３、１３の外側に密着するように、締付カバー２０が重合状態にある挟持部材１０、１０の上方より被せられ、重合した台座部１１、１１と基板部２１とがボルト３１、ナット３２で固定される。
【選択図】図１【図１】
0005815823.tif 000002
【図２】
0005815823.tif 000003
【図３】
0005815823.tif 000004
【図４】
0005815823.tif 000005
【図５】
0005815823.tif 000006
【図６】
0005815823.tif 000007
【図７】
0005815823.tif 000008